【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
ハウジングと、
前記ハウジングに取り付けられ、ストライカを保持するように作動可能な係合位置と解放位置との間で移動するように協働的に作動可能なラチェット及び爪と、
前記ハウジングに取り付けられ、ロック位置とアンロック位置の間で移動するように作動可能なロックレバーと、
前記ロックレバーに運動学的に連結され、該ロックレバーがロック位置及びアンロック位置の間で移動するときに対応するロック及びアンロック位置のそれぞれの間で移動するように作動可能であり、アンロック位置から作動されるときに前記爪を作動させるように作動可能なロックリンクレバーと、
前記ハウジングに枢動可能に取り付けられ、前記ロックリンクレバーを作動するように作動可能なリリースレバーと、
前記ロックリンクレバーを前記ロックレバーから運動学的に切り離し、該ロックリンクレバーを該ロックレバーに運動学的に再連結するように作動可能であるように該ロックリンクレバーに接続した２重ロックモータと、を備えている、
ことを特徴とする自動車ドアのラッチ。
【請求項２】
前記リリースレバーは、前記ハウジングに枢動可能に取り付けられ、
前記ロックレバーに枢動可能に取り付けられ、ロック及びアンロック位置の間で移動可能な外側ロックレバー、を更に備え、
前記外側ロックレバーの前記ロック及びアンロック位置の一方の中へのピボット回転は、前記ロックレバーをロック及びアンロック位置の対応する一方の中へ移動させる、
請求項１に記載のラッチ。
【請求項３】
前記ロックリンクレバーが前記ロックレバーから切り離されている間の前記外側ロックレバーの前記アンロック位置への移動は、該ロックリンクレバーを該ロックレバーに運動学的に再連結させる、
請求項２に記載のラッチ。
【請求項４】
前記ロックリンクレバーは、前記ロックレバーに枢動可能に取り付けられた第１の端部と、前記リリースレバー上のスロット内に摺動可能に保持され、該スロット内のロック位置とアンロック位置の間で、該ロックレバーを対応するロック及びアンロック位置の間でピボット回転させることによって移動可能である第２の端部とを有し、
前記ロックリンクレバーがアンロック位置にある間の前記リリースレバーの作動は、該ロックリンクレバーをある一定の弧でピボット回転させ、前記爪を作動して解放位置に入れる、
請求項３に記載のラッチ。
【請求項５】
前記ハウジングは、前記ストライカを受け取るようになったチャンネルを有する第１の表面と、第２の表面とを有し、前記ラチェット及び爪の各々は、該爪の一部分が該ハウジング内の開口部を通って該第２の表面まで延びた状態で該第１の表面に枢動可能に取り付けられ、該ラチェット及び爪は、該チャンネルに該ストライカを保持する係合位置と、該ストライカが該チャンネルから出ることを可能にする解放位置との間で移動するように協働的に作動可能であり、該ラチェット及び爪は、更に、該係合位置の方向に偏っており、
前記リリースレバーは、前記ハウジングの前記第２の表面に枢動可能に取り付けられ、
前記ロックレバーは、前記ハウジングの前記第２の表面に枢動可能に取り付けられ、
前記ロックリンクレバーの前記第２の端部がロック位置にある間の前記リリースレバーの作動は、該ロックリンクレバーを前記爪のない第２の孤でピボット回転させる、
請求項４に記載のラッチ。
【請求項６】
前記ロックリンクレバーの前記第１の端部は、前記ロックレバーに位置するスロット内に保持された従属タブを備え、該スロット内の第１及び第２の位置の間で摺動可能であり、第２の位置への該従属タブの摺動が、該ロックリンクレバーの前記第２の端部をロック位置に移動させる、
請求項５に記載のラッチ。
【請求項７】
前記ロックリンクレバーの前記第１の端部上の前記従属タブは、第１の位置の方向に偏っている、
請求項６に記載のラッチ。
【請求項８】
前記外側ロックレバーは、前記ロック位置へピボット回転されたときに、前記ロックリンクレバーの前記第１の端部上の前記従属タブを第１の位置から第２の位置へ移動させるように作動可能である、
請求項７に記載のラッチ。
【請求項９】
ロックモータと、該ロックモータをスイッチカムに相互接続する少なくとも１つの歯車とを更に備え、該スイッチカムは、前記ロックレバーをロック及びアンロック位置の間でピボット回転させるように作動可能であり、該ロックモータのそのような作動は、該ロックレバーをロック及びアンロック位置の一方からロック及びアンロック位置の他方の中にピボット回転させる、
請求項８に記載のラッチ。
【請求項１０】
前記２重ロックモータ及びデッドボルトアームを相互接続する少なくとも１つの歯車を更に備え、該デッドボルトアームは、前記ロックリンクレバーの前記第１の端部上の前記従属タブを前記ロックレバー上の前記スロット内の第１の位置と第２の位置の間で移動するように作動可能であり、そのために該２重ロックモータの作動は、該従属タブを第１及び第２の位置の一方からその第１及び第２の位置のその他方の中に移動させる、
請求項８に記載のラッチ。
【請求項１１】
前記アンロック位置への前記外側ロックレバーのピボット回転は、前記ロックリンクレバーの前記第１の端部上の前記従属タブが第１の位置まで戻るように、前記デッドボルトアームを該ロックリンクレバーの該第１の端部から離すように移動させる、
請求項１０に記載のラッチ。
【請求項１２】
前記ハウジングの周囲に密着係合し、それによって該ハウジングの第２の側面を覆うラッチカバーを更に備えている、
請求項５に記載のラッチ。
【請求項１３】
前記ラッチカバーに枢動可能に取り付けられ、内側ドアハンドルに接続されて前記リリースレバーに運動学的に連結するように作動可能な内側リリースレバーを更に備え、該内側リリースレバーの作動は、前記リリースレバーを作動する、
請求項１２に記載のラッチ。
【請求項１４】
前記ラッチハウジングに枢動可能に取り付けられ、外側ドアに接続するように作動可能な外側リリースレバーを更に備え、該外側リリースレバーは、該外側リリースレバーの作動が前記リリースレバーを作動するように前記リリースレバーと運動学的に連結されている、
請求項１２に記載のラッチ。
【請求項１５】
前記ラッチカバーに取り付けられ、ロック及びアンロック位置の間でピボット回転する内側ロックレバーを更に備え、該内側ロックレバーは、該内側ロックレバー及び前記ロックレバーの一方の該ロック又はアンロック位置のいずれかへの移動が、該内側ロックレバー及び前記ロックレバーの他方を同じ位置まで移動するように前記ロックレバーと運動学的に接続されている、
請求項１２に記載のラッチ。
【請求項１６】
前記内側ロックレバーを前記ロック及びアンロック位置のうちの最も近い方に向けて付勢するトグルバネを更に備えている、
請求項１５に記載のラッチ。
【請求項１７】
前記ラチェット及び爪は、前記係合位置と前記解放位置の間にストライカを保持するように作動可能な第２の係合位置まで協働的に移動するように作動可能である、
請求項１２に記載のラッチ。
【請求項１８】
複数のスイッチセンサが、前記ラッチカバー内に取り付けられている、
請求項１７に記載のラッチ。
【請求項１９】
前記複数のスイッチセンサの各々は、前記ラチェットと一緒にピボット回転するラチェットリベットに枢動可能に取り付けられたスイッチカムによって作動される、
請求項１８に記載のラッチ。
【請求項２０】
前記複数のスイッチセンサは、外側ロックスイッチ、外側アンロックスイッチ、ドア半開きスイッチ、及びドア開放スイッチのうちの少なくとも１つを備えている、
請求項１９に記載のラッチ。
【請求項２１】
前記スイッチカムは、前記ラチェットリベットから半径方向に外に延びるロックアウトタブを備え、前記ラチェットが解放位置にあるときに、該ロックアウトタブは、前記ロックレバーがアンロック位置からロック位置までピボット回転することを阻止する、
請求項２０に記載のラッチ。
【請求項２２】
ハウジングと、
ストライカを保持するように作動可能な係合位置と解放位置との間で移動するように協働的に作動可能な前記ハウジングに取り付けたラチェット及び爪と、
前記ハウジングに取り付けられ、ロック位置とアンロック位置の間で移動するように作動可能なロックレバーと、
前記ロックレバーに運動学的に連結し、該ロックレバーがそれぞれのロック位置及びアンロック位置の間で移動するときに対応するロック及びアンロック位置の間で移動するように作動可能であり、該アンロック位置から作動されるときに前記爪を作動するように作動可能なロックリンクレバーと、
前記ハウジングに枢動可能に取り付けられ、前記ロックリンクレバーを作動するように作動可能なリリースレバーと、
内側ドアハンドルに作動可能に接続した内側リリースレバーと、
前記リリースレバーを作動させるように作動可能な内側補助リリースレバーと、
前記内側リリースレバー及び前記補助内側リリースレバーを運動学的に連結し、運動学的に切り離すように選択的に作動可能な電動チャイルドロックアセンブリと、を備えている、
ことを特徴とする自動車ドアのラッチ。
【請求項２３】
前記電動チャイルドロックアセンブリは、
ラッチカバーに枢動可能に取り付けられ、ロック位置とアンロック位置の間で移動可能なチャイルドロックレバーと、
第１の端部で前記チャイルドロックレバーに枢動可能に接続され、第２の端部で前記内側補助リリースレバー上の前記スロット内に摺動可能に保持されたチャイルドロックリンクレバーと、を備え、
前記第２の端部は、該第２の端部が前記内側リリースレバーから離れて変位されたロック位置と、該第２の端部が、前記チャイルドロックレバーを対応するロック位置とアンロック位置の間でピボット回転させることにより、該内側リリースレバーの縁部に対して当接する前記スロット内のアンロック位置との間で移動可能であり、
前記電動チャイルドロックアセンブリは、
前記チャイルドロックレバーを移動して、前記内側リリースレバー及び前記補助内側リリースレバーを運動学的に連結し、運動学的に切り離するように作動可能なチャイルドロックモータ、を更に備え、
前記チャイルドロックリンクレバーの前記第２の端部がアンロック位置にある間の前記内側リリースレバーの作動は、該チャイルドロックリンクレバーをピボット回転させ、それによって前記内側補助リリースレバーをピボット回転させて前記リリースレバーを作動させる、
請求項２２に記載のラッチ。
【請求項２４】
前記チャイルドロックレバーは、前記ラッチカバー内の開口を通ってラッチの外側まで延びるタブを備え、該タブは、該チャイルドロックレバーをック位置とアンロック位置の間で手動でピボット回転させるように作動可能である、
請求項２３に記載のラッチ。
【請求項２５】
電気信号によって係合するように作動可能な電動解放モータと、
前記モータ上の出力によって回転可能に駆動されるカムと、
前記カムと作動的に接続され、前記爪に向って外方向に延びる爪係合レバーと、
を備えている電動解放アクチュエータを更に備え、
前記電動解放モータの作動は、前記爪係合レバーの位置を該爪係合レバーが前記爪を作動するように平行移動し、それによってラッチを解放する、
請求項６に記載のラッチ。
【請求項２６】
前記爪係合レバーは、前記爪を作動させるように選択的に作動可能であり、該爪係合レバーは、前記カムに枢動可能に取り付けられた１組のリンケージに枢動可能に取り付けられ、該リンケージの組は、該爪係合レバーが該爪に対して当接し、該爪を作動させるように作動可能である係合位置と、該爪係合レバーが該爪から離れて変位され、従って該爪を作動させるのに作動不能であるバイパス位置との間で移動可能である、
請求項２５に記載のラッチ。
【請求項２７】
前記リンケージの組は、更に、前記外側リリースレバーの静止位置から作動位置までの移動が、該リンケージの組を前記係合位置まで移動し、該外側リリースレバーの静止位置への戻りが、該リンケージの組を前記バイパス位置まで移動するように該外側リリースレバーと作動的に接続されている、
請求項２６に記載のラッチ。
【請求項２８】
前記２重ロックモータと、該２重ロックモータの作動が従属タブを第１及び第２の位置の一方から第１及び第２の位置の他方の中に移動させるために前記ロックリンクレバーの前記第１の端部上の該従属タブを前記ロックレバー上の前記スロット内の第１の位置と第２の位置の間で移動させるように作動可能なデッドボルトアームとを相互接続する少なくとも１つの歯車と、
前記電動解放モータの係合が、前記少なくとも１つの歯車を移動して、前記デッドボルトアームを第２の位置へ移動するように、前記２重ロックモータと該デッドボルトアームを相互接続する該少なくとも１つの歯車に前記リンケージの組を作動的に接続するオーバーライドロッドと、を更に備えている、
請求項２７に記載のラッチ。
【請求項２９】
ハウジングと、
前記ハウジングに取り付けられ、ストライカを保持するように作動可能な係合位置と解放位置との間で移動するように協働的に作動可能なラチェット及び爪と、
電気信号によって係合するように作動可能で、前記爪を解放するように選択的に作動可能であり、該爪から機械的に切断されるデフォルト状態と該爪に機械的に接続されるアクティブ状態とを有する電動解放アクチュエータと、を備え、
ラッチ上の外側リリースレバーの作動が、前記電動解放アクチュエータを前記デフォルト状態から前記アクティブ状態まで機械的に移動し、該電動解放アクチュエータを前記爪に接続してラッチの電動作動を可能にする、
ことを特徴とするラッチ。
【請求項３０】
前記ラチェット及び爪は、前記電動解放アクチュエータが前記デフォルト状態にある間に偶然トリガされる場合に前記係合位置に留まる、
請求項２９に記載のラッチ。
【請求項３１】
前記ハウジングに取り付けられ、ロック位置とアンロック位置の間で移動するように作動可能なロックレバーと、
前記ロックレバーに運動学的に連結し、該ロックレバーがそれぞれのロック位置及びアンロック位置の間で移動するときに対応するロック及びアンロック位置の間で移動するように作動可能であり、アンロック位置から作動されるときに前記爪を作動するように作動可能なロックリンクレバーと、
前記ハウジングに枢動可能に取り付けられ、前記ロックリンクレバーを作動するように作動可能なリリースレバーと、
前記ロックリンクレバーを前記ロックレバーから運動学的に切り離し、該ロックリンクレバーを該ロックレバーに運動学的に再連結するように作動可能であるように、少なくとも１つの歯車によって該ロックリンクレバーに接続した２重ロックモータと、
前記電動解放アクチュエータの係合が、前記少なくとも１つの歯車を移動し、ロックリンクレバーをアンロック位置まで戻すように、該電動解放アクチュエータを該少なくとも１つの歯車と作動的に接続するオーバーライドロッドと、を更に備えている、
請求項３０に記載のラッチ。
【請求項３２】
前記電動解放アクチュエータは、
電気信号によって係合するように作動可能な電動解放モータと、
前記モータ上の出力によって回転可能に駆動されるカムと、
前記カムと作動的に接続され、前記爪に向って外方向に延びる爪係合レバーと、を備え、
前記電動解放モータの作動は、前記爪係合レバーの位置を前記爪が該爪を作動するように平行移動し、それによってラッチを解放する、
請求項３１に記載のラッチ。
【請求項３３】
前記爪係合レバーは、前記爪を作動させるように選択的に作動可能であり、該爪係合レバーは、前記カムに枢動可能に取り付けられた１組のリンケージに枢動可能に取り付けられ、該リンケージの組は、該爪係合レバーが該爪に対して当接し、該爪を作動させるように作動可能である係合位置と、該爪係合レバーが該爪から離れて変位され、従って該爪を作動させるのに作動不能であるバイパス位置との間で移動可能である、
請求項３２に記載のラッチ。
【請求項３４】
前記リンケージの組は、更に、前記外側リリースレバーの静止位置から作動位置までの移動が、該リンケージの組を前記係合位置まで移動し、該外側リリースレバーの静止位置への戻りが、該リンケージの組を前記バイパス位置まで移動するように該外側リリースレバーと作動的に接続されている、
請求項３３に記載のラッチ。
【請求項３５】
前記少なくとも１つの歯車は、前記ロックレバー上のスロット内の第１の位置と第２の位置の間で前記ロックリンクレバーの第１の端部上の従属タブを移動させるように作動可能なデッドボルトアームを備え、前記２重ロックモータの作動は、該従属タブを第１及び第２の位置の一方から第１及び第２の位置の他方の中に移動させ、
前記オーバーライドロッドは、前記リンケージの組を前記少なくとも１つの歯車に作動的に接続し、前記電動解放モータの係合が前記デッドボルトアームを第２の位置へ移動させるように前記２重ロックモータと該デッドボルトアームとを相互接続する、
請求項３４に記載のラッチ。
【請求項３６】
前記電気信号は、キーフォッブから送信されたＲＦ信号である、
請求項３５に記載のラッチ。
【手続補正２】
【補正対象書類名】明細書
【補正対象項目名】００１９
【補正方法】変更
【補正の内容】
【００１９】
電動ロック／アンロックアセンブリ
内側又は外側ロックレバーを通じた手動ロック及びアンロックラッチ１０に加えて、使用者は、電気的にラッチをロック及びアンロックすることができる。ここで図９を参照して、電動ロック／アンロックアセンブリを以下に説明する。客室の内側又は遠隔キーフォッブ（図示せず）上の電動ロック／アンロックスイッチの作動は、一体的に基板２２から形成されたロックチャンバ１７０内に収納されたロックモータ１６８に係合する。ロックモータ１６８は、ＤＣモータであり、ウォーム１７２を可逆的に駆動する。ウォーム１７２は、次に、小歯車１７６（図５Ａ及び５Ｂ）に接続したウォームギヤ１７４と噛み合い、小歯車は、次に、基板２２（図１Ｂ）の孔１８０に位置するピン１７８に回転可能に取り付けられる。小歯車１７６は、平歯車１８２と噛み合う。平歯車１８２は、基板２２（図１Ｂ）の孔１８６に位置するピン１８４に回転可能に取り付けられる。
【手続補正３】
【補正対象書類名】明細書
【補正対象項目名】００２１
【補正方法】変更
【補正の内容】
【００２１】
２重ロックアセンブリ及びデッドボルトオーバーライドアセンブリ
図９を参照して、２重ロックアセンブリを以下に説明する。２重ロックアセンブリは、内側及び外側解放アセンブリを無効にする。２重ロックアセンブリは、電気的にのみ及びラッチが既にロック位置にあるときのみ係合することができる。それは、以下に説明するように、電気的に又は外側キーシリンダを作動させることによって取り外すことができる。２重ロックアセンブリは、一体的に基板２２から形成された２重ロックチャンバ１９８内に収納された２重ロックモータ１９６を備えている。２重ロックモータ１９６は、ＤＣモータであり、ウォーム２００を可逆的に駆動する。ウォーム２００は、次に、基板２２（図１Ｂ）の孔２０４に位置するポスト２０３の周りに枢動可能に取り付けたデッドボルト扇形歯車２０２と噛み合う。デッドボルト扇形歯車２０２の角移動は、基板２２から形成されたデッドボルト側壁２０５及び２０６によって限定され、その結果デッドボルト扇形歯車２０２は、それが、デッドボルト側壁２０５に当接するときのアンロック位置と、それが、デッドボルト側壁２０６に当接するときのロック位置との間で移動可能である。
【手続補正４】
【補正対象書類名】明細書
【補正対象項目名】００２５
【補正方法】変更
【補正の内容】
【００２５】
図１３Ａ及び１３Ｂを参照すると、外側ロックスイッチ２２０及び外側アンロックスイッチ２２２は、ドア半開きスイッチ２１２及びドア開放スイッチ２１４に加えてスイッチニッチ２１６内に取り付けられている。両スイッチは、係合状態及び解除状態を有する。外側ロックスイッチ２２０及び外側アンロックスイッチ２２２は、スイッチカム２１８によって作動されず、むしろ外側ロックレバー１５８によって作動される。外側ロックレバー１５８がロック位置（図１３Ａ）にあると、外側ロックスイッチ２２０は、係合状態にあり、外側アンロックスイッチ２２２は、解除状態にある。外側ロックレバー１５８がアンロック位置（図１３Ｂ）にあると、外側アンロックスイッチ２２２は、係合状態にあり、外側ロックスイッチ２２０は、解除状態にある。外側ロックレバー１５８がロック位置とアンロック位置の間にあると、外側ロックスイッチ２２０及び外側アンロックスイッチ２２２の両方は、解除状態にある。係合状態への外側ロックスイッチ２２０の移動は、ドアロックモータ１６８及び２重ロックモータ１９６に係合して、車両内の全ての他のラッチ１０をロックする。解除状態への外側ロックスイッチ２２０の移動は、ロックモータ１６８及び２重ロックモータ１９６に係合して、車両内の全ての他のラッチ１０をアンロックする。
【手続補正５】
【補正対象書類名】明細書
【補正対象項目名】００２６
【補正方法】変更
【補正の内容】
【００２６】
車両上の一部のラッチ１０に外側ロックスイッチ２２０及び外側アンロックスイッチ２２２を設けるが、他のラッチ１０のそれらを削除することは可能である。例えば、運転席側上のラッチ１０は、外側ロックスイッチ２２０及び外側アンロックスイッチ２２２を装備することができるが、助手席側上のラッチ１０はない。外側ロックレバー１５８に対するスイッチの他の構成は、当業者には想起される。
【手続補正６】
【補正対象書類名】明細書
【補正対象項目名】００２８
【補正方法】変更
【補正の内容】
【００２８】
チャイルドロックを有する後部ドアラッチ
前運転席側及び助手席側ドアに取り付けられているのに加えて、ラッチ１０はまた、後部サイドドアに適応させることができる。ラッチ１０Ｃは、ラッチ１０の多数の構成要素を共有する。図１５及び１６を参照すると、後部ドアラッチ１０Ｃが示されている。ラッチ１０Ｃには、通常は、外側ロックスイッチ２２０又は外側アンロックスイッチ２２２が装備されていない。更に、ラッチ１０Ｃは、外側ロックレバー１５８を含まない（後部ドアは、典型的にキーシリンダを欠くので）。
【手続補正７】
【補正対象書類名】明細書
【補正対象項目名】００３０
【補正方法】変更
【補正の内容】
【００３０】
好ましくは、ラッチ１０Ｃは、内側解放アセンブリを無効にするチャイルドロック機構を備えている。図１６、１７Ａ、及び１７Ｂを参照すると、チャイルドロックレバー２２６は、ラッチカバー１４内の孔２２９（図１５）内に位置するチャイルドロックピン２２７の周りに枢動可能に取り付けられている。チャイルドロックレバー２２６は、ロック位置（図１７Ａ）とアンロック位置（図１７Ｂ）との間で移動可能である。チャイルドロックリンクレバー２３０の第１の端部に従属するタブ２２８は、チャイルドロックレバー２２６上の爪２３２内に保持される。チャイルドロックリンクレバー２２６上の第２のタブ２３３は、補助内側リリースレバー２２５上のスロット２３４内に摺動可能に保持される。チャイルドロックレバー２２６が、ロック位置とアンロック位置の間でピボット回転するときに、チャイルドロックリンクレバー２３０は、スロット２３４内のロック位置とアンロック位置の間で摺動する。ロック位置にあるときに、チャイルドロックリンクレバー２３０上のタブ２３３は、補助内側リリースレバー２２５上の端壁２３６に当接する。アンロック位置にあるときに、チャイルドロックリンクレバー２３０上のタブ２３３は、端壁２３８に対して当接する。
【手続補正８】
【補正対象書類名】明細書
【補正対象項目名】００３１
【補正方法】変更
【補正の内容】
【００３１】
チャイルドロックリンクレバー２３０がアンロック位置にあるときに、タブ２３３は、内側リリースレバー１００Ｃに対して当接する。従って、内側リリースレバー１００Ｃの作動は、チャイルドロックリンクレバー２３０を作動させ、これは、次に、補助内側リリースレバー２２５を作動させる。上述のように、補助内側リリースレバー（２０４）の作動は、ラッチを解放するリリースレバー８２（図１５）を作動させる（リンクロックタブ９２が、アンロック位置にあると仮定する）。チャイルドロックリンクレバー２３０がロック位置にあると、タブ２３３は、内側リリースレバー１００Ｃから離れて変位される。従って、内側リリースレバー１００Ｃの作動は、チャイルドロックリンクレバー２３０を作動させず、補助内側リリースレバー２２５も作動させない。ラッチ１０Ｃは、リンクロックタブ９２がロック位置にあるか又はアンロック位置にあるかに関わらず、解放されない。後部内側解放アセンブリは、不測のドア開放を防ぐラチェット２６及び爪２８から切り離される。
【手続補正９】
【補正対象書類名】明細書
【補正対象項目名】００３４
【補正方法】変更
【補正の内容】
【００３４】
ロッド作動式ラッチ
上述のラッチ１０は、ケーブル作動式内側解放アセンブリを有する。しかし、前側及び後部サイドドアラッチ１０の両方の内側解放アセンブリは、ロッド作動式になるように修正することができることが、当業者には明らかであろう。ここで図１８を参照すると、ロッド作動式後部サイドドアラッチ１０Ｄが示されている。ラッチ１０Ｄ上の内側及び外側解放アセンブリの両方は、ロッド作動式である。内側ドアハンドル（同様に図示せず）に接続されたドアロッド（図示せず）が、内側リリースレバー１００Ｄ上のループアーム２５８に取り付けられている。チャイルドリンクロックレバー２３０は、内側リリースレバー１００Ｄの回転を補助内側リリースレバー２２５Ｄに選択的に連結する。
【手続補正１０】
【補正対象書類名】明細書
【補正対象項目名】００３７
【補正方法】変更
【補正の内容】
【００３７】
チャイルドロックリンクレバー２３０Ｅが、アンロック位置（図１９Ａ及び１９Ｂ）にあると、タブ２６６は、内側リリースレバー１００Ｅの端部上の係合面２７０に対して当接する。従って、内側ドアケーブルを引くこと及び内側リリースレバー１００Ｅ（図１９Ｂ）を作動させることは、チャイルドロックリックレバー２３０Ｅをピボット回転させ、これは、次に、補助内側リリースレバー２２５Ｅを作動させる。上述したように、補助内側リリースレバー２２５Ｅの作動は、従属タブ１１２Ｅにリリースレバー８２（図１５）を作動させ、ラッチを解放する（リンクロックタブ９２が、アンロック位置にあると仮定する）。
【手続補正１１】
【補正対象書類名】明細書
【補正対象項目名】００４６
【補正方法】変更
【補正の内容】
【００４６】
【図１Ａ】本発明の第１の実施形態によるケーブル作動式前部サイドドアラッチの分解組立図である。
【図１Ｂ】本発明の第１の実施形態によるケーブル作動式前部サイドドアラッチの分解組立図である。
【図２】フレームプレートを取り除いた図１Ａ及び図１Ｂに示すラッチに取り付けたラッチハウジングの平面図である。
【図３Ａ】図２に示すラッチハウジングに取り付けたラチェット及び爪の部分平面図である。
【図３Ｂ】図２に示すラッチハウジングに取り付けたラチェット及び爪の部分平面図である。
【図３Ｃ】図２に示すラッチハウジングに取り付けたラチェット及び爪の部分平面図である。
【図４】図１Ａ及び１Ｂに示すラッチに取り付けた外側解放アセンブリの等角投影図である。
【図５Ａ】図４に示すラッチに取り付けた外側解放機構を有するアンロックラッチの平面図である。
【図５Ｂ】図４に示すラッチに取り付けた外側解放機構を有するアンロックラッチの平面図である。
【図６Ａ】内側リリースレバーの等角投影図である。
【図６Ｂ】内側リリースレバーの等角投影図である。
【図７Ａ】ラッチハウジングを備えている図５Ａ及び図５Ｂに示すラッチに取り付けた内側解放アセンブリの等角投影図である。
【図７Ｂ】ラッチハウジングを備えている図５Ａ及び図５Ｂに示すラッチに取り付けた内側解放アセンブリの等角投影図である。
【図８Ａ】図１Ａに示すラッチに取り付けた手動内側及び外側ロックアセンブリの等角投影図である。
【図８Ｂ】図１Ｂに示すラッチに取り付けた手動内側及び外側ロックアセンブリの等角投影図である。
【図９】図８Ａ及び図８Ｂに示すラッチに取り付けた電動ロックアセンブリの等角投影図である。
【図１０Ａ】図９Ａに示すラッチに取り付けた２重ロックアセンブリの平面図である。
【図１０Ｂ】図９に示すラッチに取り付けた手動２重ロックオーバーライドの平面図である。
【図１１】図１Ａ及び図１Ｂに示すラッチに取り付けたラッチカバーの等角投影図である。
【図１２Ａ】ラッチハウジング及びラッチカバーを取り除いた、図１Ａ及び図１Ｂに示すラッチに取り付けられているスイッチカムに対するドア半開き及びドア開放スイッチを示す平面図である。
【図１２Ｂ】ラッチハウジング及びラッチカバーを取り除いた、図１Ａ及び図１Ｂに示すラッチに取り付けられているスイッチカムに対するドア半開き及びドア開放スイッチを示す平面図である。
【図１２Ｃ】ラッチハウジング及びラッチカバーを取り除いた、図１Ａ及び図１Ｂに示すラッチに取り付けられているスイッチカムに対するドア半開き及びドア開放スイッチを示す平面図である。
【図１３Ａ】ラッチカバーを取り除いた、図１２Ａ、図１２Ｂ、及び図１２Ｃに示すラッチに取り付けた外側ロックレバーに対するドアロック及びドアアンロックスイッチを示す平面図である。
【図１３Ｂ】ラッチカバーを取り除いた、図１２Ａ、図１２Ｂ、及び図１２Ｃに示すラッチに取り付けた外側ロックレバーに対するドアロック及びドアアンロックスイッチを示す平面図である。
【図１４Ａ】本発明の別の実施形態によるサイドドアラッチに取り付けたキーオンリー式ロックアセンブリを示す平面図である。
【図１４Ｂ】本発明の別の実施形態によるサイドドアラッチに取り付けたキーオンリー式ロックアセンブリを示す平面図である。
【図１５】本発明の別の実施形態によるケーブル作動式後部サイドドアラッチの分解組立図である。
【図１６】図１５Ａ及び図１５Ｂに示すラッチに取り付けたチャイルドロックアセンブリの等角投影図である。
【図１７Ａ】図１６に示すチャイルドロックアセンブリの一部切り欠き図である。
【図１７Ｂ】図１６に示すチャイルドロックアセンブリの一部切り欠き図である。
【図１８】本発明の別の実施形態によるロッド作動式後部サイドドアラッチの分解組立図である。
【図１９Ａ】本発明の別の実施形態による分離したチャイルドロックアセンブリの平面図である。
【図１９Ｂ】本発明の別の実施形態による分離したチャイルドロックアセンブリの平面図である。
【図１９Ｃ】本発明の別の実施形態による分離したチャイルドロックアセンブリの平面図である。
【図１９Ｄ】本発明の別の実施形態による分離したチャイルドロックアセンブリの平面図である。
【図２０】本発明の別の実施形態による電動解放アクチュエータを有するドアラッチの代替実施形態の等角一部切り欠き図である。
【図２１】図２０に示す電動解放アクチュエータの分解組立図である。
【図２２Ａ】図２０に示すドアラッチの電動解放アセンブリの分離図である。
【図２２Ｂ】図２０に示すドアラッチの電動解放アセンブリの分離図である。
【図２２Ｃ】図２０に示すドアラッチの電動解放アセンブリの分離図である。
【図２３】図２０に示すドアラッチの２重ロックオーバーライドアセンブリの分離図である。